(57)【要約】      （修正有）【課題】レジでの精算処理の手間を減らし、レジでの待ち時間を大幅に短縮する精算システムを提供する。【解決手段】商品識別情報と数量を含む購入商品情報を取得する購入商品情報取得部１４、端末表示部１２、端末入力部１３、端末通信部１１および端末制御部１０を備えた携帯端末１と、サーバー通信部３１、商品名および価格を含む商品データ格納部３２ならびにサーバー制御部３０を備えたサーバー３と、レジスタ通信部２１、レジスタ入力部２３およびレジスタ制御部２０を備えたレジスタ２からなる商品精算システムであって、端末制御部１０は購入商品識別情報に対応する商品データをサーバー４から取得し、商品名、個数およびその合計金額を端末表示部１２に表示させ、レジスタ制御部２０はレジスタ入力部２３が精算開始指令を受け付けたとき、購入商品情報および商品データに基づき商品の精算処理を行う。【選択図】図１
2016071787.tif 000002
【特許請求の範囲】
【請求項１】
携帯端末と、サーバーと、レジスタとを備えた商品の精算処理を行う商品精算システムであって、
前記携帯端末は、購入商品を特定する商品識別情報および前記商品の数量を含む購入商品情報を取得する購入商品情報取得部と、端末表示部と、ユーザーからの指令を受け付ける端末入力部と、前記サーバーおよび前記レジスタと通信を行う端末通信部と、前記購入商品情報取得部、前記端末表示部、前記端末入力部および前記端末通信部を制御する端末制御部とを備え、
前記サーバーは、前記携帯端末および前記レジスタと通信を行うサーバー通信部と、前記商品の商品名および価格を含む商品データを格納した商品データ格納部と、前記サーバー通信部および前記商品データ格納部を制御するサーバー制御部とを備え、
前記レジスタは、前記携帯端末および前記サーバーと通信を行うレジスタ通信部と、精算開始指令を受け付けるレジスタ入力部と、前記レジスタ通信部および前記レジスタ入力部を制御するレジスタ制御部とを備え、
前記端末制御部は、前記購入商品情報取得部が前記商品識別情報を取得したとき、前記端末通信部に前記サーバーと通信させて前記商品識別情報に対応する商品の前記商品データを取得させ、前記商品の商品名、数量およびその合計金額を前記端末表示部に表示させ、
前記レジスタ制御部は、前記レジスタ入力部が前記精算開始指令を受け付けたとき、前記レジスタ通信部に前記携帯端末と通信させて前記購入商品情報を取得させ、前記サーバーと通信させて前記商品識別情報に対応する商品の前記商品データを取得させ、前記購入商品情報および前記商品データに基づき前記商品の精算処理を行う商品精算システム。
【請求項２】
前記端末制御部は、購入対象となる商品のリストを前記端末表示部に表示させ、購入商品および前記商品の数量の入力を前記端末入力部に受け付けさせる請求項１に記載の商品精算システム。
【請求項３】
前記携帯端末は、外部のネットワークと通信して決済処理を行う決済処理機能を備え、
前記端末制御部は、前記商品の精算前に決済方法のリストを前記端末表示部に表示させ、前記決済方法の選択を前記端末入力部に受け付けさせ、選択された決済方法が現金支払の場合、前記端末通信部に前記レジスタと通信させて前記レジスタに決済処理を行わせ、選択された決済方法が現金支払以外の場合、前記決済処理機能により決済処理を行わせる請求項１または２に記載の商品精算システム。
【請求項４】
前記携帯端末は、カメラを備え、
購入商品情報取得部は、前記商品または前記商品の包装に付されたバーコードを読み取るバーコード読取部を備え、
前記端末制御部は、前記端末入力部がバーコード読取指令を受け付けたとき、前記カメラによって撮像された前記バーコードを前記バーコード読取部に読み取らせて前記商品識別情報を取得する請求項１〜３のいずれか１つに記載の商品精算システム。
【請求項５】
前記レジスタは、顧客が操作するセルフ方式のレジスタであり、前記商品の重量を計測する商品重量計測部および報知部を備え、
前記商品データは、前記商品の重量を含み、
前記レジスタ制御部は、精算に係る前記商品の総重量と、前記商品重量計測部により計測された前記商品の総重量との差が予め定められた許容範囲内にないときは、不正な取引であると判断し、報知部にその旨を報知させる請求項１〜４のいずれか１つに記載の商品精算システム。
【請求項６】
互いに通信可能な携帯端末、サーバーおよびレジスタを用いて商品の精算処理を行う商品精算方法であって、
前記サーバーは、前記商品の商品名および価格を含む商品データを格納し、
顧客が前記携帯端末を用いて、購入商品を特定する商品識別情報および前記商品の数量を含む購入商品情報を取得したとき、前記携帯端末は、前記サーバーと通信して前記商品識別情報に対応する商品の前記商品データを取得し、前記購入商品情報および前記商品データに基づき前記商品の商品名、数量およびその合計金額を前記端末表示部に表示し、
顧客が前記レジスタで精算を開始したとき、前記レジスタは、前記携帯端末と通信して前記購入商品情報を取得し、前記サーバーと通信して前記商品識別情報に対応する商品の前記商品データを取得し、前記購入商品情報および前記商品データに基づき前記商品の精算処理を行う商品精算方法。
【発明の詳細な説明】
【技術分野】
【０００１】
この発明は、商品の精算処理を行う商品精算システムおよび商品精算方法に関する。
【背景技術】
【０００２】
近年、コンビニエンスストアやスーパーマーケット等において、顧客自身がレジスタを操作して商品の精算処理を行うセルフ方式のレジスタ（以下、セルフレジ）が導入されている。
セルフレジにおいては、顧客自身が精算に係る商品のバーコードをバーコードリーダーで読み取らせ、現金による支払、クレジットカードによる支払または電子マネーによる支払等の決済方法を選択することによって精算処理を行う。
【０００３】
セルフレジシステムは、専用のレジ係が不要なため、人件費がかからないというメリットがある反面、顧客自身が商品の精算処理を行うことから、セルフレジの操作に不慣れな顧客がいると、かえって精算処理が遅くなって待ち時間が長くなるというデメリットもある。
【０００４】
このような問題を解決すべく、従来、ユーザフレンドリーな操作ガイダンスを顧客に提供するセルフチェックアウト端末の発明（例えば、特許文献１を参照）や、顧客が所有する携帯端末によって、商品に付されており当該商品を識別するための識別情報を読み取ることによって、キャッシュレジスタにおける処理の時間を大幅に短縮するセルフレジシステムの発明（例えば、特許文献２を参照）が提案されている。
【先行技術文献】
【特許文献】
【０００５】
【特許文献１】特許第４６７５７２４号明細書
【特許文献２】特開２０１１−０７０３０８号公報
【発明の概要】
【発明が解決しようとする課題】
【０００６】
しかしながら、顧客が所有する携帯端末によって事前に商品のバーコードを読み取るセルフレジシステムにおいて、顧客は、セルフレジのディスプレイの表示を見てはじめて、精算に係る全商品の商品名、数量およびその合計金額等の情報を知ることになる。
それゆえ、セルフレジでの精算時に、顧客が財布の中からクレジットカードを取り出したり、支払いに必要な金額の現金を取り出したりする作業に時間がかかることがある。また、顧客が合計金額を確認してから決済方法を決める場合、決済方法の選択に時間がかかることもある。さらに、クレジットカードで高額決済を行う場合、サインの確認のために店員が到着するまで待機しなければならないこともある。
【０００７】
この発明は、以上のような事情を考慮してなされたものであって、その目的は、レジでの精算処理に要する手間を減らすことによって、レジでの待ち時間を大幅に短縮する商品精算システムおよび商品精算方法を提供することである。
【課題を解決するための手段】
【０００８】
この発明は、携帯端末と、サーバーと、レジスタとを備えた商品の精算処理を行う商品精算システムであって、前記携帯端末は、購入商品を特定する商品識別情報および前記商品の数量を含む購入商品情報を取得する購入商品情報取得部と、端末表示部と、ユーザーからの指令を受け付ける端末入力部と、前記サーバーおよび前記レジスタと通信を行う端末通信部と、前記購入商品情報取得部、前記端末表示部、前記端末入力部および前記端末通信部を制御する端末制御部とを備え、前記サーバーは、前記携帯端末および前記レジスタと通信を行うサーバー通信部と、前記商品の商品名および価格を含む商品データを格納した商品データ格納部と、前記サーバー通信部および前記商品データ格納部を制御するサーバー制御部とを備え、前記レジスタは、前記携帯端末および前記サーバーと通信を行うレジスタ通信部と、精算開始指令を受け付けるレジスタ入力部と、前記レジスタ通信部および前記レジスタ入力部を制御するレジスタ制御部とを備え、前記端末制御部は、前記購入商品情報取得部が前記商品識別情報を取得したとき、前記端末通信部に前記サーバーと通信させて前記商品識別情報に対応する商品の前記商品データを取得させ、前記商品の商品名、数量およびその合計金額を前記端末表示部に表示させ、前記レジスタ制御部は、前記レジスタ入力部が前記精算開始指令を受け付けたとき、前記レジスタ通信部に前記携帯端末と通信させて前記購入商品情報を取得させ、前記サーバーと通信させて前記商品識別情報に対応する商品の前記商品データを取得させ、前記購入商品情報および前記商品データに基づき前記商品の精算処理を行う商品精算システムを提供するものである。
また、この発明は、互いに通信可能な携帯端末、サーバーおよびレジスタを用いて商品の精算処理を行う商品精算方法であって、前記サーバーは、前記商品の商品名および価格を含む商品データを格納し、顧客が前記携帯端末を用いて、購入商品を特定する商品識別情報および前記商品の数量を含む購入商品情報を取得したとき、前記携帯端末は、前記サーバーと通信して前記商品識別情報に対応する商品の前記商品データを取得し、前記購入商品情報および前記商品データに基づき前記商品の商品名、数量およびその合計金額を前記端末表示部に表示し、顧客が前記レジスタで精算を開始したとき、前記レジスタは、前記携帯端末と通信して前記購入商品情報を取得し、前記サーバーと通信して前記商品識別情報に対応する商品の前記商品データを取得し、前記購入商品情報および前記商品データに基づき前記商品の精算処理を行う商品精算方法を提供するものである。
【発明の効果】
【０００９】
この発明によれば、レジでの精算処理に要する手間を減らすことによって、レジでの待ち時間を大幅に短縮する商品精算システムおよび商品精算方法を実現する。
【図面の簡単な説明】
【００１０】
【図１】この発明の商品精算システムの概略構成を示すブロック図である。（実施形態１）
【図２】図１に示す携帯端末の処理を示すフローチャートである。（実施形態１）
【図３】図１に示す携帯端末の処理を示すフローチャートである。（実施形態１）
【図４】図１に示す携帯端末の処理を示すフローチャートである。（実施形態１）
【図５】図１に示すセルフレジおよび店舗サーバーの処理を示すフローチャートである。（実施形態１）
【図６】図１に示すセルフレジの処理を示すフローチャートである。（実施形態１）
【図７】図１に示すＰＯＳアプリケーションのバーコードなし商品の入力画面の一例である。図７（Ａ）は、バーコードなし商品の商品名とその数量の入力画面の一例を示し、図７（Ｂ）は、入力された商品名とその数量の入力の一例を示す。（実施形態１）
【図８】図１に示すＰＯＳアプリケーションの表示画面の一例である。図８（Ａ）は、牛乳を１点のみ購入した場合の表示例を示し、図８（Ｂ）は、牛乳とりんごを１点ずつ購入した場合の表示例を示す。（実施形態１）
【図９】図１に示すＰＯＳアプリケーションの決済方法の表示画面の一例である。図９（Ａ）は、決済方法の選択画面を示し、図９（Ｂ）は、精算に係るセルフレジの選択画面を示す。（実施形態１）
【図１０】図１に示すＰＯＳアプリケーションのバーコードなし商品の選択画面の一例である。図１０（Ａ）は、バーコードなし商品の選択の一例を示し、図１０（Ｂ）は、選択した商品の個数の入力の一例を示す。（実施形態２）
【発明を実施するための形態】
【００１１】
以下、図面を用いてこの発明をさらに詳述する。なお、以下の説明は、すべての点で例示であって、この発明を限定するものと解されるべきではない。
【００１２】
（実施形態１）
＜商品精算システム１００の構成＞
以下、図１に基づき、この発明の実施形態１に係る商品精算システム１００の概略構成を説明する。
【００１３】
図１は、この発明の商品精算システム１００の概略構成を示すブロック図である。
【００１４】
商品精算システム１００は、スーパーマーケットやコンビニエンスストア等の店舗内のレジにおいて、購入商品の精算処理を行うためのシステムである。
【００１５】
図１に示すように、この発明の商品精算システム１００は、携帯端末１、セルフレジ２、店舗サーバー３および本部サーバー４を備える。
なお、商品精算システム１００は、店舗サーバー３および本部サーバー４の２つのサーバーを備える必要はなく、いずれか１つのサーバーを備えるシステムであってもよい。
以下、商品精算システム１００の各構成要素を説明する。
【００１６】
携帯端末１は、各種の情報を送受信可能な通信機能を有する携帯用の情報端末である。例えば、スマートフォン等の携帯電話、ＰＨＳ、ＰＤＡ、タブレット端末、携帯型ナビゲーション装置、携帯音楽プレーヤーなどの携帯型端末を利用することができる。
携帯端末１は、通常、ユーザーの所有に係る端末であるが、店舗の提供に係る端末であってもよい。
携帯端末１は、演算制御装置１０、通信部１１、ディスプレイ１２、タッチパネル１３、電子マネー読取部１４、カメラ１５および記憶装置１６を備える。
【００１７】
セルフレジ２は、顧客が自分自身でレジを操作して精算に係る商品のバーコードをスキャンすることによって商品の精算を行うセルフ方式のレジスタである。
セルフレジ２は、演算制御装置２０、通信部２１、ディスプレイ２２、タッチパネル２３、電子マネー読取部２４、秤台２５、釣銭機２６、プリンタ２７および記憶装置２８を備える。
【００１８】
店舗サーバー３は、携帯端末１、セルフレジ２および本部サーバー４と情報をやりとりするストアサーバー等の装置である。
店舗サーバー３は、演算制御装置３０、通信部３１および記憶装置３２を備える。
【００１９】
本部サーバー４は、携帯端末１、セルフレジ２および店舗サーバー３と情報をやりとりする装置である。
本部サーバー４は、演算制御装置４０、通信部４１および記憶装置４２を備える。
【００２０】
通信網５は、携帯端末１、セルフレジ２、店舗サーバー３および本部サーバー４をつなぐネットワークである。なお、通信網５として、ＬＡＮ、インターネットなどの広域ネットワーク（ＷＡＮ）、専用の通信回線などいずれのネットワークを利用してもよい。
【００２１】
演算制御装置１０，２０，３０および４０はそれぞれ、携帯端末１、セルフレジ２、店舗サーバー３および本部サーバー４の各構成要素の動作を制御する部分である。主として、ＣＰＵ、ＲＯＭ、ＲＡＭ、Ｉ／Ｏコントローラ、タイマー等からなるマイクロコンピュータによって実現される。演算制御装置１０，２０，３０および４０は、ＲＯＭ等に予め格納された制御プログラムに基づいて、各ハードウェアを有機的に動作させて、後述するようなこの発明の通信制御機能やディスプレイ制御機能などを実行する。なお、周辺回路として、特定の用途のために設計、製造される集積回路であるＡＳＩＣ（Application Specific Integrated Circuit）、その他の演算機能を有する回路を含んでいてもよい。
【００２２】
演算制御装置１０は、通信制御部１０１、ディスプレイ制御部１０２、タッチパネル制御部１０３、電子マネー読取制御部１０４およびカメラ制御部１０５を備える。
演算制御装置２０は、通信制御部２０１、ディスプレイ制御部２０２、タッチパネル制御部２０３、電子マネー読取制御部２０４、秤台制御部２０５、釣銭機制御部２０６およびプリンタ制御部２０７を備える。
演算制御装置３０は、通信制御部３０１を備える。
演算制御装置４０は、通信制御部４０１を備える。
【００２３】
通信部１１，２１，３１および４１は、通信網５などのネットワークを介して、相互に通信を行い、購入商品情報や商品データなどの各種情報を送受信する部分である。
また、通信制御部１０１，２０１，３０１および４０１はそれぞれ、通信部１１，２１，３１および４１を制御する部分である。
【００２４】
ディスプレイ１２および２２はそれぞれ、携帯端末１およびセルフレジ２の各種情報の表示を行う部分である。ディスプレイ１２および２２は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。
また、ディスプレイ制御部１０２および２０２はそれぞれ、ディスプレイ１２および２２を制御する部分である。
【００２５】
タッチパネル１３および２３は、例えば、ディスプレイパネルの表示面に透明なタッチパネルを貼り付けることによって構成され、入力者がタッチパネル１３および２３の表面に指先で触れたとき、その指先の位置情報を検出することによってディスプレイパネルの表示内容に応じた操作が行われる。位置検出の方式としては、例えば、電子式、静電式および光学式などがある。
なお、タッチパネル１３および２３による操作に限られず、キーパッドやキーボード等により入力操作を行うものであってもよい。
また、タッチパネル制御部１０３および２０３はそれぞれ、タッチパネル１３および２３を制御する部分である。
【００２６】
電子マネー読取部１４および２４は、ＩＣカード等を通じて、電子マネーの読み取りを行う部分である。
電子マネー読取部１４および２４の読み取り方法としては、接触方式であるか、非接触方式であるかを問わない。非接触方式による読み取り方法の場合、例えば、ＮＦＣ（Near Field Communication）を用いる。ＮＦＣは、１３．５６ＭＨｚ帯の近距離無線通信規格であり、ＲＦＩＤ技術（ＩＣカード／ＩＣタグ）の次世代標準規格として国際標準機関（ＩＳＯ）に承認されたものである。その通信プロトコルとしては、例えば、ＩＳＯ１４４４３  Ｔｙｐｅ  Ａ，Ｂ，ＦｅｌｉＣａ（登録商標）、ＩＳＯ１５６９３の４種類が挙げられる。
また、電子マネー読取制御部１０４および２０４はそれぞれ、電子マネー読取部１４および２４を制御する部分である。
【００２７】
カメラ１５は、購入商品の静止画または動画を撮像し、画像データを生成する部分である。カメラ１５は、バーコードの読取機能が選択された場合、バーコード読取モードに移行してバーコードの読取を行う。例えば、商品または商品の包装等に付された１次元バーコードやＱＲコード（登録商標）等の２次元バーコードをカメラ１５によって光学的に読み取ることによって、商品識別情報を取得する。
また、カメラ制御部１０５は、カメラ１５を制御する部分である。
【００２８】
記憶装置１６，２８，３２および４２はそれぞれ、携帯端末１、セルフレジ２、店舗サーバー３および本部サーバー４の各種機能を実現するために必要な情報や、プログラムを記憶する部分であり、ＲＡＭやＲＯＭ等の半導体素子、ハードディスク、フラッシュメモリ等の記憶媒体が用いられる。
記憶装置１６および４２は、携帯端末１用のＰＯＳアプリケーション４２１を保持する。
記憶装置２８は、店舗サーバー３用のＰＯＳアプリケーション２８１を保持する。
記憶装置３２は、商品マスタ３２１を保持する。
【００２９】
ＰＯＳアプリケーション４２１およびＰＯＳアプリケーション２８１はそれぞれ、携帯端末１用およびセルフレジ２用のＰＯＳアプリケーションである。
携帯端末１の記憶装置１６にＰＯＳアプリケーション４２１が保持されていない場合、本部サーバー４の記憶装置４２に保持されたＰＯＳアプリケーション４２１を携帯端末１にダウンロードして使用する。
【００３０】
商品マスタ３２１は、店舗が扱っている商品を管理するための商品コードであるＪＡＮコード、商品名、商品の価格および重さ等を示す商品のデータベースである。
例えば、図１において、商品名「牛乳」のＪＡＮコードは１２３４５、価格は１５０円、重さは１１００ｇである。また、商品名「りんご」のＪＡＮコードは６７８９０、価格は９８円、重さは３００ｇである。
【００３１】
秤台２５は、買い物カゴの中に入れられた精算に係る全商品の総重量を計測する部分である。
セルフレジ２において、秤台２５によって計測された全商品の総重量と、バーコードリーダーで読み取られた商品の総重量とを照合することによって、顧客が精算に係る商品のバーコードを読み取らせずに（または商品名を入力せずに）精算処理を済ませてしまうことを防止する。
また、秤台制御部２０５は、秤台２５を制御する部分である。
【００３２】
釣銭機２６は、現金による決済時に顧客からの預かり金の入力および釣銭の出力を行う部分である。
また、釣銭機制御部２０６は、釣銭機２６を制御する部分である。
【００３３】
プリンタ２７は、商品精算に係るレシートの印字を行う部分であり、商品の精算終了時にレシートが印字されて出力される。なお、プリンタ２７は内蔵のものに限られず、外付けのものであってもよい。
また、プリンタ制御部２０７は、プリンタ２７を制御する部分である。
【００３４】
実施形態１において、この発明の「サーバー」は、店舗サーバー３によって実現する。また、この発明の「レジスタ」は、セルフレジ２によって実現する。また、この発明の「購入商品情報取得部」は、タッチパネル１３、タッチパネル制御部１０３、カメラ１５およびカメラ制御部１０５の協働によって実現する。また、この発明の「端末表示部」は、ディスプレイ１２およびディスプレイ制御部１０２によって実現する。また、この発明の「端末入力部」は、タッチパネル１３およびタッチパネル制御部１０３によって実現する。また、この発明の「端末通信部」は、通信部１１および通信制御部１０１によって実現する。また、この発明の「端末制御部」は、演算制御装置１０によって実現する。また、この発明の「サーバー通信部」は、通信部３１および通信制御部３０１によって実現する。また、この発明の「商品データ」は、商品マスタ３２１によって実現する。また、この発明の「商品データ格納部」は、記憶装置３２によって実現する。また、この発明の「サーバー制御部」は、演算制御装置３０によって実現する。また、この発明の「レジスタ通信部」は、通信部２１および通信制御部２０１によって実現する。また、この発明の「レジスタ入力部」は、タッチパネル２３およびタッチパネル制御部２０３によって実現する。また、この発明の「レジスタ通信部」は、通信部２１および通信制御部２０１によって実現する。また、この発明の「レジスタ制御部」は、演算制御装置２０によって実現する。
【００３５】
＜商品精算システム１００の処理の具体例＞
次に、図２〜図６に基づき、商品精算システム１００の処理の具体例について説明する。
図２は、図１に示す携帯端末１の処理を示すフローチャートである。図３および図４は、図１に示す携帯端末１の処理を示すフローチャートである。図５は、図１に示すセルフレジ２および店舗サーバー３の処理を示すフローチャートである。図６は、図１に示すセルフレジ２の処理を示すフローチャートである。
なお、図３のステップＳ１７の処理は、図５のステップＳ３３の処理に対応し、図４のステップＳ２１、Ｓ２３およびＳ２５の処理は、図６のステップＳ４１、Ｓ４４およびＳ４５の処理にそれぞれ対応する。
【００３６】
＜事前準備＞
最初に、事前準備として、顧客は、携帯端末１で店舗のウェブサイト等にアクセスし、本部サーバー４から携帯端末用のＰＯＳアプリケーション４２１を予めダウンロードしておく。
【００３７】
＜店舗内での携帯端末１による商品の読み取り処理＞
図２のステップＳ１において、携帯端末用のＰＯＳアプリケーション４２１が起動されたとき（ステップＳ１）、続くステップＳ２において、携帯端末１の演算制御装置１０は、商品または商品の包装等に付されたバーコードを読み取るバーコード読取機能を用いて購入商品を入力すべきか、ＰＯＳアプリケーション４２１の所定の入力欄に購入商品名を入力すべきか、顧客に購入商品情報の入力方法を表示して選択させる（ステップＳ２）。
【００３８】
次に、ステップＳ３において、演算制御装置１０は、バーコード読取機能が選択されたか否かを判定する（ステップＳ３）。
バーコード読取機能が選択された場合（ステップＳ３の判定がＹｅｓの場合）、カメラ制御部１０５は、ステップＳ４において、バーコード読取機能に移行してカメラ１５を起動させる（ステップＳ４）。
続いて、ステップＳ５において、カメラ制御部１０５は、カメラ１５に購入商品のバーコードを読み取らせる（ステップＳ６）。その後、ステップＳ８の処理を行う。
【００３９】
一方、ステップＳ３において、バーコード読取機能が選択されていない場合（ステップＳ３の判定がＮｏの場合）、演算制御装置１０は、ステップＳ６において、購入商品の商品名とその数量の入力欄を表示させる（ステップＳ６）。
続いて、ステップＳ７において、演算制御装置１０は、購入商品の商品名とその数量が入力欄に入力されたか否かを判定する（ステップＳ７）。
【００４０】
ステップＳ７の判定において、商品名とその数量が入力された場合（ステップＳ７の判定がＹｅｓの場合）、演算制御装置１０は、ステップＳ８の処理を行う（ステップＳ７）。
一方、商品名とその数量が入力されなかった場合（ステップＳ５の判定がＮｏの場合）、演算制御装置１０は、ステップＳ２の判定を繰り返す（ステップＳ２）。
【００４１】
次に、ステップ８において、演算制御装置１０は、バーコードから読み取ったＪＡＮコードまたは顧客が入力した商品名（以下、商品識別情報）に対応する商品データを店舗サーバー３から取得する（ステップＳ８）。
具体的な手順としては、通信制御部１０１は、通信部３１を制御して商品識別情報を店舗サーバー３に送信させる。次に、店舗サーバー３は、当該商品識別情報に基づいて、記憶装置３２に格納された商品マスタ３２１を検索し、対応する商品データを取得する。続いて、通信制御部３０１は、通信部３１を制御して取得した商品データを携帯端末１に送信する。
【００４２】
次に、ステップＳ９において、ディスプレイ制御部１０２は、購入商品情報および商品データに基づいて、購入商品の内容およびその合計金額を更新してディスプレイ１２に表示させる（ステップＳ９）。
【００４３】
次に、ステップＳ１０において、演算制御装置１０は、購入商品情報の入力終了指令を受け付けたか否かを判定する（ステップＳ１０）。
購入商品情報の入力終了指令を受け付けた場合（ステップＳ１０の判定がＹｅｓの場合）、演算制御装置１０は、図３のステップＳ１１の処理を行う（ステップＳ１０）。
一方、購入商品情報の入力終了指令を受け付けていない場合（ステップＳ１０の判定がＮｏの場合）、演算制御装置１０は、ステップＳ２の処理を繰り返す（ステップＳ３）。
【００４４】
次に、図３のステップＳ１１において、ディスプレイ制御部１０２は、現金、クレジットカードまたは電子マネー等の決済方法の入力画面をディスプレイ１２に表示させる（ステップＳ１１）。
【００４５】
次に、ステップＳ１２において、決済方法の入力がなされると（ステップＳ１２）、続くステップＳ１３において、ディスプレイ制御部１０２は、顧客が使用するセルフレジ番号の入力画面をディスプレイ１２に表示させる（ステップＳ１３）。
【００４６】
次に、ステップＳ１４において、セルフレジ番号の入力がなされると（ステップＳ１４）、続くステップＳ１５において、ディスプレイ制御部１０２は、精算開始画面をディスプレイ１２に表示させる（ステップＳ１５）。
【００４７】
次に、ステップＳ１６において、精算開始指令の入力がなされると（ステップＳ１６）、続くステップＳ１７において、通信制御部１０１は、通信部１１を制御して、顧客が使用するセルフレジ番号のセルフレジ２に購入商品情報を送信させる（ステップＳ１７）。
【００４８】
次に、ステップＳ１８において、演算制御装置１０は、通信部１１がセルフレジ２から重さチェックの結果を受信したか否かを判定する（ステップＳ１８）。
通信部１１がセルフレジ２から重さチェックの結果を受信した場合（ステップＳ１８の判定がＹｅｓの場合）、演算制御装置１０は、ステップＳ１９の判定を行う（ステップＳ１８）。
一方、通信部１１がセルフレジ２から重さチェックの結果を受信していない場合（ステップＳ１８の判定がＮｏの場合）、演算制御装置１０は、ステップＳ１８の処理を繰り返す（ステップＳ１８）。
【００４９】
次に、ステップＳ１８において、演算制御装置１０は、セルフレジ２から受信した重さチェックの結果が適切であったか否かを判定する（ステップＳ１８）。
重さチェックの結果が適切であった場合（ステップＳ１８の判定がＹｅｓの場合）、演算制御装置１０は、図４のステップＳ２１の処理を行う（ステップＳ２１）。
一方、重さチェックの結果が適切でなかった場合（ステップＳ１８の判定がＮｏの場合）、ディスプレイ制御部１０２は、ステップＳ２０において、所定のエラー画面をディスプレイ１２に表示させる（ステップＳ２０）。その後、演算制御装置１０は、ステップＳ１３の処理を行う（ステップＳ１３）
【００５０】
次に、図４のステップＳ２１において、通信制御部１０１は、通信部１１を制御して顧客が入力した決済方法をセルフレジ２に送信させる（ステップＳ２１）。
【００５１】
次に、ステップＳ２２において、演算制御装置１０は、顧客が選択した結果に基づき、決済方法が現金支払であるか否かを判定する（ステップＳ２２）。
決済方法が現金支払である場合（ステップＳ２２の判定がＹｅｓの場合）、演算制御装置１０は、ステップＳ２３の判定を行う（ステップＳ２３）。
一方、決済方法が現金支払でない場合（ステップＳ２２の判定がＮｏの場合）、演算制御装置１０は、ステップＳ２４において、携帯端末１のＰＯＳアプリケーション４２１で精算処理を行う（ステップＳ２４）。
続いてステップＳ２５において、通信制御部１０１は、通信部１１を制御して決済処理が完了した旨をセルフレジ２に送信させ（ステップＳ２５）、携帯端末１の処理を終了させる。
【００５２】
一方、決済方法が現金支払である場合、ステップＳ２３において、演算制御装置１０は、通信部１１がセルフレジ２から現金支払が完了した旨を受信したか否かを判定する（ステップＳ２３）。
通信部１１がセルフレジ２から現金支払が完了した旨を受信した場合（ステップＳ２３の判定がＹｅｓの場合）、演算制御装置１０は、携帯端末１の精算処理を終了させる。
一方、通信部１１がセルフレジ２から現金支払が完了した旨を受信していない場合（ステップＳ２３の判定がＮｏの場合）、演算制御装置１０は、ステップＳ２３の処理を繰り返す（ステップＳ２３）。
【００５３】
＜セルフレジ２および店舗サーバー３の処理＞
次に、図５および図６に基づき、セルフレジ２および店舗サーバー３の処理について説明する。
【００５４】
図５のステップＳ３１において、精算開始指令が入力されると（ステップＳ３１）、続くステップＳ３２において、セルフレジ２の演算制御装置２０は、買い物カゴが秤台２５に載せられていることを秤台制御部２０５が検知したか否かを判定する（ステップＳ３２）。
買い物カゴが秤台２５に載せられていることを秤台制御部２０５が検知した場合（ステップＳ３２の判定がＹｅｓの場合）、演算制御装置２０は、ステップＳ３３の判定を行う（ステップＳ３３）。
一方、買い物カゴが秤台２５に載せられていることを秤台制御部２０５が検知しなかった場合（ステップＳ３２の判定がＮｏの場合）、ステップＳ３２の判定を繰り返す（ステップＳ３２）。このとき、秤台２５に買い物カゴを載せるように顧客に報知するようにしてもよい。
【００５５】
次に、ステップＳ３３において、演算制御装置２０は、通信部２１が携帯端末１から購入商品情報を受信したか否かを判定する（ステップＳ３３）。
通信部２１が携帯端末１から購入商品情報を受信した場合（ステップＳ３３の判定がＹｅｓの場合）、通信制御部２０１は、通信部２１を制御して店舗サーバー３に購入商品情報を送信させる（ステップＳ３４）。
一方、通信部２１が携帯端末１から精算に係る商品情報を受信していない場合（ステップＳ３３の判定がＮｏの場合）、演算制御装置２０は、ステップＳ３３の処理を繰り返す（ステップＳ３３）。
【００５６】
次に、ステップＳ３５において、店舗サーバー３の演算制御装置３０は、通信部３１がセルフレジ２から購入商品情報を受信したか否かを判定する（ステップＳ３５）。
通信部３１がセルフレジ２から購入商品情報を受信した場合（ステップＳ３５の判定がＹｅｓの場合）、演算制御装置３０は、ステップＳ３６の処理を行う（ステップＳ３６）。
一方、通信部３１がセルフレジ２から購入商品情報を受信していない場合（ステップＳ３５の判定がＮｏの場合）、演算制御装置３０は、ステップＳ３５の判定を繰り返す（ステップＳ３５）。
【００５７】
次に、ステップＳ３６において、演算制御装置３０は、受信した購入商品情報に基づき、商品マスタ３２１を検索して対応する商品の重さのデータを取得し、セルフレジ２に送信する（ステップＳ３６）。
【００５８】
次に、ステップＳ３７において、セルフレジ２の演算制御装置２０は、通信部２１が店舗サーバー３から対応する商品の重さのデータを受信したか否かを判定する（ステップＳ３７）。
通信部２１が店舗サーバー３から対応する商品の重さのデータを受信した場合（ステップＳ３７の判定がＹｅｓの場合）、演算制御装置２０は、続くステップＳ３８において、秤台２５で測定した全商品の総重量と対応する商品の重さのデータとを照合し、通信制御部２０１は、通信部２１を制御して照合結果を携帯端末１に送信させる（ステップＳ３８）。
【００５９】
一方、ステップＳ３７において、通信部２１が店舗サーバー３から対応する商品の重さのデータを受信していない場合（ステップＳ３７の判定がＮｏの場合）、演算制御装置２０は、ステップＳ３７の処理を繰り返す（ステップＳ３７）。
【００６０】
次に、ステップＳ３９において、演算制御装置２０は、商品の重さの照合結果が適切であるか否かを判定する（ステップＳ３９）。
具体的には、秤台２５で測定した全商品の総重量と対応する商品の重さのデータから算出される総重量との差が予め定められた許容範囲内にあるか否かを判定する。
商品の重さの照合結果が適切である場合（ステップＳ３９の判定がＹｅｓの場合）、演算制御装置２０は、図６のステップＳ４１の判定を行う（ステップＳ４１）。
一方、商品の重さの照合結果が適切でない場合（ステップＳ３９の判定がＮｏの場合）、ステップＳ４０において、ディスプレイ制御部２０２はディスプレイ２２にエラー画面を表示させる（ステップＳ４０）。その後、演算制御装置２０は、ステップＳ３１の判定を繰り返す（ステップＳ３１）。
【００６１】
＜セルフレジ２の処理２＞
次に、図６のステップＳ４１において、通信制御部２０１は、通信部２１が携帯端末１から決済方法を受信したか否かを判定する（ステップＳ４１）。
通信部２１が携帯端末１から決済方法を受信した場合（ステップＳ４１の判定がＹｅｓの場合）、演算制御装置２０は、ステップＳ４２の判定を行う（ステップＳ４２）。
一方、通信部２１が携帯端末１から決済方法を受信していない場合（ステップＳ４１の判定がＮｏの場合）、演算制御装置２０は、ステップＳ４１の判定を繰り返す（ステップＳ４１）。
【００６２】
次に、ステップＳ４２において、演算制御装置２０は、決済方法が現金支払であるか否かを判定する（ステップＳ４２）。
決済方法が現金支払である場合（ステップＳ４２の判定がＹｅｓの場合）、ステップＳ４３において、釣銭機制御部２０６は、釣銭機２６に現金支払処理を行わせる（ステップＳ４３）。
その後、続くステップＳ４４において、通信制御部２０１は、通信部２１を制御して現金支払が完了した旨を携帯端末１に送信させる（ステップＳ４４）。その後、演算制御装置２０は、ステップＳ４６の処理を行う（ステップＳ４６）。
一方、決済方法が現金支払でない場合（ステップＳ４２の判定がＮｏの場合）、演算制御装置２０は、ステップＳ４５の判定を行う（ステップＳ４５）。
【００６３】
次に、ステップＳ４５において、演算制御装置２０は、通信部２１が携帯端末１から決済が完了した旨を受信したか否かを判定する（ステップＳ４５）。
通信部２１が携帯端末１から決済が完了した旨を受信した場合（ステップＳ４５の判定がＹｅｓの場合）、演算制御装置２０は、ステップＳ４６の処理を行う（ステップＳ４６）。
一方、通信部２１が携帯端末１から決済が完了した旨を受信していない場合（ステップＳ４５の判定がＮｏの場合）、演算制御装置２０は、ステップＳ４５の判定を繰り返す（ステップＳ４５）。
【００６４】
最後に、ステップＳ４６において、プリンタ制御部２０７は、プリンタ２７にレシートを印字させた後（ステップＳ４６）、セルフレジ２の処理を終了させる。
【００６５】
＜商品精算システム１００の処理の具体例＞
次に、図７〜図９に基づき、この発明の商品精算システム１００の処理の一例を説明する。
図７は、図１に示すＰＯＳアプリケーション４２１のバーコードなし商品の入力画面の一例である。図７（Ａ）は、バーコードなし商品の商品名とその数量の入力画面の一例を示し、図７（Ｂ）は、入力された商品名とその数量の入力の一例を示す。図８は、図１に示すＰＯＳアプリケーション４２１の表示画面の一例である。図８（Ａ）は、牛乳を１点のみ購入した場合の表示例を示し、図８（Ｂ）は、牛乳とりんごを１点ずつ購入した場合の表示例を示す。図９は、図１に示すＰＯＳアプリケーション４２１の決済方法の表示画面の一例である。図９（Ａ）は、決済方法の選択画面を示し、図９（Ｂ）は、精算に係るセルフレジ２の選択画面を示す。
【００６６】
以下の例では、顧客が自身の携帯端末１を用いて、牛乳１点とりんご１点を購入する場合を想定する。なお、携帯端末１は、顧客自身のものに限られず、店舗内で顧客に貸与されるものであってもよい。
【００６７】
顧客は、事前準備として、携帯端末１で店舗のウェブサイト等にアクセスし、本部サーバー４からＰＯＳアプリケーション４２１を予めダウンロードしておく。
店舗から貸与される携帯端末１の場合、ＰＯＳアプリケーション４２１は事前にインストールされているものと考えられるため、顧客は、店舗のウェブサイト等からＰＯＳアプリケーション４２１をダウンロードする必要はない。
なお、ＰＯＳアプリケーション４２１をダウンロードせず、店舗のウェブサイト上で直接ＰＯＳアプリケーション４２１を利用する形態であってもよい。
【００６８】
次に、顧客は、店舗内において購入商品を買い物カゴに入れる際、携帯端末１のＰＯＳアプリケーション４２１で購入商品情報の入力を行う。
購入商品情報の入力方法としては、商品または商品の包装にバーコードが付されている場合、顧客は、携帯端末１のバーコード読み取り用のアプリケーションを起動し、カメラ１５からバーコードを読み取らせる。バーコードを読み取った後、顧客は、バーコードを読み取った商品を買い物カゴの中に入れる。
【００６９】
一方、商品または商品の包装にバーコードが付されていない場合、顧客は、ＰＯＳアプリケーション４２１において、図７（Ａ）に示すように、バーコードなし商品の商品名とその個数の入力画面を表示させる。
顧客は、タッチパネル２３を用いて入力画面の空欄に購入すべきバーコードなし商品の商品名とその個数を入力する。
【００７０】
図７（Ｂ）に示すように、顧客は、バーコードなし商品の商品名として「牛乳」と入力し、続いてその個数として「１」個と入力した上で「確定」ボタンを押すことにより、バーコードなし商品の入力を確定する。
なお、バーコードなし商品に限られず、バーコードが付された商品であっても、携帯端末１のＰＯＳアプリケーション４２１からタッチパネル２３を用いて顧客が商品名とその個数を入力できるようにしてもよい。
【００７１】
購入商品情報が入力された後、携帯端末１は、店舗サーバー３と通信を行い、バーコードの読み取り用のアプリケーションにより読み取られた商品コード「１２３４５」または顧客によって入力された商品名「牛乳」に対応した購入商品情報「牛乳  １５０円」を取得する。
携帯端末１は、取得した購入商品情報および商品の個数に基づき、ＰＯＳアプリケーション４２１の画面を更新し、図８（Ａ）に示すように、買い物カゴに入れた商品の商品名「牛乳」、その個数「１個」および価格「１５０円」、ならびに小計「１５０円」をディスプレイ１２に表示させる。
【００７２】
また、「牛乳」に続いて、顧客が「りんご」１個を選択した場合、携帯端末１は、ＰＯＳアプリケーション４２１の画面を更新し、図８（Ｂ）に示すように、買い物カゴに入れた商品の商品名、その個数および価格、ならびに小計をディスプレイ１２に表示させる。
【００７３】
ここで、顧客が購入商品情報の入力を終了すると、携帯端末１のＰＯＳアプリケーション４２１は、決済方法として、図１０（Ａ）に示すように「現金、クレジットカード、電子マネーＡ、電子マネーＢ」などの決済方法の選択画面を表示させ、顧客に決済方法を選択させる。
顧客が、図１０（Ａ）に示すように「電子マネーＡ」を選択したとき、ＰＯＳアプリケーション４２１は、図１０（Ｂ）に示すように、精算に係るセルフレジ２の番号の入力画面をディスプレイ１２に表示させる。
【００７４】
顧客は、商品を精算しようとするセルフレジ２の番号（図１０（Ｂ）の例では「１」番機）を入力した後、精算に係る商品「牛乳」および「りんご」が入った買い物カゴを当該セルフレジ２の秤台２５にのせ、セルフレジ２のディスプレイ２２に表示された「精算開始」アイコンをタッチする。続いて、図１０（Ｂ）に示すように、精算に係るセルフレジ２の番号「１」をタッチパネル１３に入力した後、ＰＯＳアプリケーション４２１の画面上に表示された「精算開始」アイコンを選択する。
【００７５】
このとき、携帯端末１は、購入商品情報を精算に係るセルフレジ２に送信する。セルフレジ２は、店舗サーバー３と通信を行い、携帯端末１から受信した購入商品情報を店舗サーバー３に送信する。店舗サーバー３は、商品マスタ３２１を検索して、購入商品情報に対応する商品の重さのデータ（「牛乳  １点  １１００ｇ」および「りんご  １点  ３００ｇ」）を取得し、セルフレジ２に送信する。
そして、セルフレジ２は、秤台２５で計測した購入商品の総重量と店舗サーバー３から受信した購入商品の重さのデータとの差が予め定められた許容範囲内にあるか否かを照合する。
【００７６】
照合結果が適切であった場合、携帯端末１は、顧客によって指定された決済方法（「電子マネーＡ」による支払）に基づき決済を行う。また、セルフレジ２は、精算に係るレシートをプリンタ２７に印刷させる。
また、決済方法として現金支払が選択された場合は、顧客は、セルフレジ２の釣銭機２６により決済を行う。
【００７７】
このようにして、この発明の商品精算システム１００は、セルフレジ２における精算処理に要する顧客の手間を減らし、レジでの待ち時間を大幅に短縮することを可能にする。
また、レジスタ２において、バーコードリーダーや、クレジットカード等の読取装置が不要となるため、大幅なコスト削減ができ、また、これらの読取装置を設けるためのスペースを省略することができる。
【００７８】
（実施形態２）
次に、図１０に基づき、実施形態２に係るこの発明の商品精算システム１００のバーコードなし商品の商品名とその数量の入力方法について説明する。
図１０は、図１に示すＰＯＳアプリケーション４２１のバーコードなし商品の選択画面の一例である。図１０（Ａ）は、バーコードなし商品の選択の一例を示し、図１０（Ｂ）は、選択した商品の個数の入力の一例を示す。
【００７９】
商品にバーコードが付されていない場合、携帯端末１の演算制御装置１０は、図７（Ａ）に示すような入力画面を表示させる代わりに、図１０（Ａ）に示すように、バーコードなし商品のアイコン群をディスプレイ１２に表示させてもよい。顧客は、当該アイコン群の中から購入商品のアイコンを選択する。
【００８０】
図１０（Ａ）において、顧客がバーコードなし商品のアイコン群の中から「牛乳」を選択したとき、演算制御装置１０は、図１０（Ｂ）に示すように、選択された商品の個数の入力画面を表示させる。ここで、顧客は、牛乳の個数を「１」と入力し、右下の「確定」ボタンを押すことにより、バーコードなし商品の入力を確定する。
【００８１】
このようにして、購入商品にバーコードが付されていない場合であっても、バーコードが付されていない商品のアイコン群を表示して選択することにより、迅速な入力が可能になる。
【００８２】
（実施形態３）
次に、実施形態３に係るこの発明の商品精算システム１００の決済方法の入力方法について説明する。
【００８３】
実施形態１および２において、商品精算用のレジスタとして、セルフレジ２を用いた商品精算システム１００について説明したが、セルフ方式のレジスタに限定されず、専用のレジ係が操作する通常のレジスタにこの発明の商品精算システム１００を適用してもよい。
【００８４】
具体的には、バーコード等による商品情報の入力、購入商品情報の表示および精算に係る商品の決済方法の選択および決済処理（現金支払以外の場合）を携帯端末１によって行い、現金支払による決済や不正防止のための商品のチェックのみレジ係が行うようにしてもよい。
【００８５】
このようにすれば、専用のレジ係が操作する通常のレジスタにおいても、この発明の商品精算システム１００を用いることにより、レジスタにおける精算処理に要する顧客の手間を減らし、レジでの待ち時間を大幅に短縮することを可能にする。
【００８６】
（その他の実施形態）
１．実施形態１において、セルフレジ２は、精算に係る全商品が入った買い物カゴの重量を秤台２５で計測し、当該重量から買い物カゴの重さを差し引くことによって、商品の総重量の照合を一度の計測で行うようにしてもよい。（実施形態４）
このようにすれば、顧客は、従来のセルフレジ２のように、精算に係る商品を１つ１つ買い物カゴから取り出す必要なく、全商品が入った買い物カゴを秤台２５に一度載せるだけで、重さの照合を行うことができるため、重さの照合にかかる時間を大幅に短縮することができる。
【００８７】
２．実施形態２において、バーコードなし商品に限らず、バーコードが付された商品のアイコン群もディスプレイ１２に表示させ、顧客は、当該アイコン群の中から購入商品のアイコンを選択できるようにしてもよい。（実施形態５）
このようにすれば、顧客は、携帯端末１のカメラ１５を起動せずとも、バーコードが付された商品のアイコン群を表示して選択することにより、迅速な入力が可能になる。
【００８８】
３．実施形態３において、顧客が選択した決済方法の選択結果がクレジットカードであり、かつ、支払額が予め定められた金額以上である場合、携帯端末１またはセルフレジ２は、その旨を店員に報知するようにしてもよい。（実施形態６）
このようにすれば、クレジットカードで高額決済が行われる場合において、店員に報知することにより、サインの確認をスムーズに行うことができ、レジでの待ち時間を大幅に短縮することができる。
【００８９】
４．実施形態１において、セルフレジ２の使用方法の説明を携帯端末１のディスプレイ１２に表示するようにしてもよい。（実施形態７）
このようにすれば、顧客はレジでの待ち時間などの間に、携帯端末１のＰＯＳアプリケーション４２１を通じてセルフレジ２の使用方法を学習することができるため、セルフレジ２の操作に不慣れな顧客が、セルフレジ２を使用する際に使用方法の説明を参照することによる待ち時間を大幅に短縮することができる。
【００９０】
５．実施形態１において、店舗サーバー３は、購入商品情報に基づき、関連商品の情報や商品の割引情報などの情報を顧客の携帯端末１に送信するようにしてもよい。（実施形態８）
このようにすれば、例えば、購入商品情報から顧客の購買傾向を分析し顧客の需要に応じたタイムリーな対応が可能となる。また、購入商品に不具合等があったとき、顧客に連絡メッセージを送信することも可能となる。
【００９１】
以上に述べたように、
（ｉ）この発明の商品精算システムは、携帯端末と、サーバーと、レジスタとを備えた商品の精算処理を行う商品精算システムであって、前記携帯端末は、購入商品を特定する商品識別情報および前記商品の数量を含む購入商品情報を取得する購入商品情報取得部と、端末表示部と、ユーザーからの指令を受け付ける端末入力部と、前記サーバーおよび前記レジスタと通信を行う端末通信部と、前記購入商品情報取得部、前記端末表示部、前記端末入力部および前記端末通信部を制御する端末制御部とを備え、前記サーバーは、前記携帯端末および前記レジスタと通信を行うサーバー通信部と、前記商品の商品名および価格を含む商品データを格納した商品データ格納部と、前記サーバー通信部および前記商品データ格納部を制御するサーバー制御部とを備え、前記レジスタは、前記携帯端末および前記サーバーと通信を行うレジスタ通信部と、精算開始指令を受け付けるレジスタ入力部と、前記レジスタ通信部および前記レジスタ入力部を制御するレジスタ制御部とを備え、前記端末制御部は、前記購入商品情報取得部が前記商品識別情報を取得したとき、前記端末通信部に前記サーバーと通信させて前記商品識別情報に対応する商品の前記商品データを取得させ、前記商品の商品名、数量およびその合計金額を前記端末表示部に表示させ、前記レジスタ制御部は、前記レジスタ入力部が前記精算開始指令を受け付けたとき、前記レジスタ通信部に前記携帯端末と通信させて前記購入商品情報を取得させ、前記サーバーと通信させて前記商品識別情報に対応する商品の前記商品データを取得させ、前記購入商品情報および前記商品データに基づき前記商品の精算処理を行うことを特徴とする。
また、この発明の商品精算方法は、互いに通信可能な携帯端末、サーバーおよびレジスタを用いて商品の精算処理を行う商品精算方法であって、前記サーバーは、前記商品の商品名および価格を含む商品データを格納し、顧客が前記携帯端末を用いて、購入商品を特定する商品識別情報および前記商品の数量を含む購入商品情報を取得したとき、前記携帯端末は、前記サーバーと通信して前記商品識別情報に対応する商品の前記商品データを取得し、前記購入商品情報および前記商品データに基づき前記商品の商品名、数量およびその合計金額を前記端末表示部に表示し、顧客が前記レジスタで精算を開始したとき、前記レジスタは、前記携帯端末と通信して前記購入商品情報を取得し、前記サーバーと通信して前記商品識別情報に対応する商品の前記商品データを取得し、前記購入商品情報および前記商品データに基づき前記商品の精算処理を行うことを特徴とする。
【００９２】
この発明において、「商品精算システム」は、スーパーマーケットやコンビニエンスストア等の店舗内のレジにおいて、購入商品の精算処理を行うためのシステムである。
「携帯端末」は、各種の情報を送受信可能な通信機能を有する携帯用の情報端末である。例えば、スマートフォン等の携帯電話、ＰＨＳ、ＰＤＡ、タブレット端末、携帯型ナビゲーション装置、携帯音楽プレーヤーなどの携帯型端末を利用することができる。
「サーバー」は、携帯端末やレジスタと情報のやりとりをするストアサーバーや本部サーバー等の装置である。
「レジスタ」は、スーパーマーケットやコンビニエンスストア等において、商品を精算しレシートまたは領収証を印刷するためのキャッシュレジスタなどのＥＣＲ（Electronic Cash Register、電子式金銭登録機）端末である。また、専用の店員が操作する通常のレジスタに限定されず、顧客が自分自身でレジを操作して商品のバーコードをスキャンして商品の精算を行うセルフ方式のレジスタであってもよい。
【００９３】
さらに、この発明の好ましい態様について説明する。
（ii）この発明による商品精算システムにおいて、前記端末制御部は、購入対象となる商品のリストを前記端末表示部に表示させ、購入商品および前記商品の数量の入力を前記端末入力部に受け付けさせるものであってもよい。
【００９４】
このようにすれば、購入商品にバーコードが付されていない場合でも、携帯端末のＰＯＳアプリケーションで商品のリストを表示して選択することにより、商品名を逐一入力する必要がなく、商品の迅速な入力が可能になる。
【００９５】
（iii）この発明による商品精算システムにおいて、前記携帯端末は、外部のネットワークと通信して決済処理を行う決済処理機能を備え、前記端末制御部は、前記商品の精算前に決済方法のリストを前記端末表示部に表示させ、前記決済方法の選択を前記端末入力部に受け付けさせ、選択された決済方法が現金支払の場合、前記端末通信部に前記レジスタと通信させて前記レジスタに決済処理を行わせ、選択された決済方法が現金支払以外の場合、前記決済処理機能により決済処理を行わせるものであってもよい。
【００９６】
このようにすれば、携帯端末のＰＯＳアプリケーション上で精算に係る商品の決済方法を顧客が予め選択しておくことにより、レジにおける決済方法の選択に係る時間を省略することが可能となる。
また、決済方法が現金支払以外の場合は、携帯端末による決済処理が可能となるため、決済処理に係る時間を省略することが可能となる。
【００９７】
（iv）この発明による商品精算システムにおいて、前記携帯端末は、カメラを備え、購入商品情報取得部は、前記商品または前記商品の包装に付されたバーコードを読み取るバーコード読取部を備え、前記端末制御部は、前記端末入力部がバーコード読取指令を受け付けたとき、前記カメラによって撮像された前記バーコードを前記バーコード読取部に読み取らせて前記商品識別情報を取得するものであってもよい。
【００９８】
このようにすれば、商品または商品の包装等に付された１次元バーコードや２次元（ＱＲ）コード等の２次元バーコードを携帯端末のカメラ機能を用いて取得することができるため、顧客が有するスマートフォン等の携帯端末をレジスタのバーコードリーダーとして用いることができる。
【００９９】
（ｖ）この発明による商品精算システムにおいて、前記レジスタは、顧客が操作するセルフ方式のレジスタであり、前記商品の重量を計測する商品重量計測部および報知部を備え、前記商品データは、前記商品の重量を含み、前記レジスタ制御部は、精算に係る前記商品の総重量と、前記商品重量計測部により計測された前記商品の総重量との差が予め定められた許容範囲内にないときは、不正な取引であると判断し、報知部にその旨を報知させるものであってもよい。
【０１００】
このようにすれば、顧客が操作するセルフ方式のレジスタにおいても、レジでの精算処理の手間を減らし、レジでの待ち時間を大幅に短縮する商品精算システムおよび商品精算方法を実現する。
【０１０１】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１０２】
１：携帯端末、    ２：セルフレジ、    ３：店舗サーバー、    ４：本部サーバー、    ５：通信網、    １０，２０，３０，４０：演算制御装置、    １１，２１，３１，４１：通信部、    １２，２２：ディスプレイ、    １３，２３：タッチパネル、    １４，２４：電子マネー読取部、    １５：カメラ、    １６，２８，３２，４２：記憶装置、    ２５：秤台、    ２６：釣銭機、    ２７：プリンタ、    １００：商品精算システム、    １０１，２０１：通信制御部、    １０２，２０２：ディスプレイ制御部、    １０３，２０３：タッチパネル制御部、    １０４，２０４：電子マネー読取制御部、    １０５：カメラ制御部、    ２０５：秤台制御部、    ２０６：釣銭機制御部、    ２０７：プリンタ制御部、    ２８１，４２１：ＰＯＳアプリケーション、    ３０１，４０１：通信制御部、    ３２１：商品マスタ
【図１】
2016071787.tif 000003
【図２】
2016071787.tif 000004
【図３】
2016071787.tif 000005
【図４】
2016071787.tif 000006
【図５】
2016071787.tif 000007
【図６】
2016071787.tif 000008
【図７】
2016071787.tif 000009
【図８】
2016071787.tif 000010
【図９】
2016071787.tif 000011
【図１０】
2016071787.tif 000012